(57)【要約】【課題】  複雑な電子回路を使用することなく、確実にハウリングを防止する事が可能なハンズフリーインターホン装置を提供する。【解決手段】  居室親機筐体５の前面に一対の音声出力部２（２ａ，２ｂ）を設け、その音声出力部２同士を居室親機筐体５内に設けたダクト７により連通し、スピーカ８を一方の音声出力部２ａに向けてダクト７内に設置した。そして通話のためのマイク３を、双方の音声出力部２ａ，２ｂから出力される音声が打ち消し合う中間位置に配置した。【選択図】  図２
2007228286.tif 000002
【特許請求の範囲】
【請求項１】
居住者を呼び出すための玄関子機と、前記玄関子機からの呼び出しに対してハンズフリー応答を可能とする居室親機とを有するハンズフリーインターホン装置において、
前記居室親機は、居室親機筐体内に配置したダクトにより連通された少なくとも一対の音声出力部を有すると共に、前記ダクト内に、前記対を成す音声出力部のうちの一方に向けてスピーカを配置して互いの音声出力部から反転させた位相の出力を出し、
通話のためのマイクを前記対を成す音声出力部の中間位置に配置したことを特徴とするハンズフリーインターホン装置。
【請求項２】
居住者を呼び出すための玄関子機と、前記玄関子機からの呼び出しに対してハンズフリー応答を可能とする居室親機とを有するハンズフリーインターホン装置において、
前記居室親機は、少なくとも一対の音声出力部を備え、前記対を成す音声出力部の中間となる居室親機筐体内に、一方の音声出力部に向けてスピーカを設置して互いに反転させた位相の出力を前記音声出力部から出させ、
通話のためのマイクを前記対を成す音声出力部の中間位置に配置したことを特徴とするハンズフリーインターホン装置。
【請求項３】
居住者を呼び出すための玄関子機と、前記玄関子機からの呼び出しに対してハンズフリー応答を可能とする居室親機とを有するハンズフリーインターホン装置において、
前記居室親機は、少なくとも一対の音声出力部を備え、前記対を成す音声出力部は、夫々音声を報音するスピーカを有すると共に、一方のスピーカは報音部を居室親機筐体の表面に向け、他方のスピーカは報音部を居室親機筐体の内部に向けて設置して互いの音声出力部の出力位相を反対位相で出力させ、
通話のためのマイクを前記対を成す音声出力部の中間位置に配置したことを特徴とするハンズフリーインターホン装置。
【発明の詳細な説明】
【技術分野】
【０００１】
本発明は、ハンドセットを使用せずにハンズフリー通話を可能としたハンズフリーインターホン装置に関し、特にそのハウリング防止技術に関する。
【背景技術】
【０００２】
ハンドセットを使用せずに来訪者と通話を行うハンズフリーインターホン装置が、便利なため普及している。このハンズフリーインターホン装置の場合、その構成上ハンドセット通話型に比べてハウリングが発生し易い。そのため、スピーカとマイクの配置を工夫したり、電子回路から成るエコーキャンセラ回路を設けてハウリングの発生を抑える工夫が成されている（例えば、特許文献１参照）。
【特許文献１】特開２００５−３０３９３１号公報
【発明の開示】
【発明が解決しようとする課題】
【０００３】
しかしながら、スピーカとマイクの配置を工夫するにしても限界があったし、電気的なエコーキャンセラ回路は、パラメータ設計が複雑で、外部環境のわずかな変化によりハウリング防止能力が低下する問題があった。また、エコーキャンセラ回路の能力を上げるために高度な処理能力を持たせようとすると、回路が複雑で更に高価なものとなってしまう。
そこで、本発明はこのような問題点に鑑み、複雑な電子回路を使用することなく、確実にハウリングを防止する事が可能なハンズフリーインターホン装置を提供することを目的としている。
【課題を解決するための手段】
【０００４】
上記課題を解決する為に、請求項１に記載の発明は、居住者を呼び出すための玄関子機と、玄関子機からの呼び出しに対してハンズフリー応答を可能とする居室親機とを有するハンズフリーインターホン装置において、居室親機は、居室親機筐体内に配置したダクトにより連通された少なくとも一対の音声出力部を有すると共に、ダクト内に、対を成す音声出力部のうちの一方に向けてスピーカを配置して互いの音声出力部から反転させた位相の出力を出し、通話のためのマイクを対を成す音声出力部の中間位置に配置したことを特徴とする。
この構成により、一対の音声出力部から出力される音声は、ダクトを用いることで互いに反転された位相で良好に出力される。そして、互いに打ち消し合う中間位置にマイクが配置されるので、スピーカからの音声がマイクに入る帰還量を極めて小さくでき、ハウリングを防止することができる。また、位相反転操作に電子回路の制御を必要としないので、安価に構成できる。
【０００５】
請求項２の発明は、居住者を呼び出すための玄関子機と、玄関子機からの呼び出しに対してハンズフリー応答を可能とする居室親機とを有するハンズフリーインターホン装置において、居室親機は、少なくとも一対の音声出力部を備え、対を成す音声出力部の中間となる居室親機筐体内に、一方の音声出力部に向けてスピーカを設置して互いに反転させた位相の出力を音声出力部から出させ、通話のためのマイクを対を成す音声出力部の中間位置に配置したことを特徴とする。
この構成により、一対の音声出力部から出力される音声は互いに反転位相で出力されるので、その中間に配置されたマイクに入るスピーカ音声の帰還量を極めて小さくでき、ハウリングを防止することができる。また、位相反転操作に電子回路の制御を必要としないので、安価に構成できる。
【０００６】
請求項３の発明は、居住者を呼び出すための玄関子機と、玄関子機からの呼び出しに対してハンズフリー応答を可能とする居室親機とを有するハンズフリーインターホン装置において、居室親機は、少なくとも一対の音声出力部を備え、対を成す音声出力部は、夫々音声を報音するスピーカを有すると共に、一方のスピーカは報音部を居室親機筐体の表面に向け、他方のスピーカは報音部を居室親機筐体の内部に向けて設置して互いの音声出力部の出力位相を反対位相で出力させ、通話のためのマイクを対を成す音声出力部の中間位置に配置したことを特徴とする。
この構成により、スピーカが表面と裏面で位相が反転することを利用するので、電子的に位相反転すること無く反転位相で出力でき、互いに打ち消し合う中間位置にマイクが配置されるので、スピーカからの音声がマイクに入る帰還量が極めて小さくなり、ハウリングを防止することができる。
更に、スピーカは音声出力部に設置できるので、居室親機筐体の奥行きを小さくでき、居室親機を小型にできる。また、位相反転操作に電子回路の制御を必要としないので、安価に構成できる。
【発明の効果】
【０００７】
本発明のハンズフリーインターホン装置によれば、一対の音声出力部から出力される音声は互いに反転した位相で出力されるので、その中間位置に設けられたマイクにスピーカからの音声が入る帰還量を極めて小さくでき、ハウリングを防止することができる。また、位相反転操作に電子回路の制御を必要としないので、安価に構成できる。
【発明を実施するための最良の形態】
【０００８】
以下、本発明を具体化した実施の形態を、図面に基づいて詳細に説明する。図１は本発明に係るハンズフリーインターホン装置を構成する居室親機の一例を示す正面図である。図１において、１は玄関子機からの呼び出しに応答するための通話ボタン、２（２ａ，２ｂ）は内蔵したスピーカにより拡声音が出力される音声出力部、３は来訪者と通話するためのマイクである。また、４ａ〜４ｃは付加機能ボタンであり、４ａは別途設けられた副親機を呼び出す室内呼出ボタン、４ｂは玄関扉に設けられた電気錠を解錠操作する解錠ボタン、４ｃは他世帯の居室親機を呼び出すための他世帯呼出ボタンとなっている。
【０００９】
音声出力部２は居室親機筐体５の下部に配置され、左右に２箇所設けられている。また、通話ボタン１はほぼ中央に配置され、上部に付加機能ボタン４ａ〜４ｃが配置されている。そして、マイク３は一対の音声出力部２の中間部位に配置されている。  
尚、ハンズフリーインターホン装置は、この居室親機に加えて居住者を呼び出す為に玄関に設置された玄関子機を有して構成されているが、ここでは発明の要部である居室親機のみ図示し、玄関子機は省略してある。
【００１０】
図２は図１のＡ−Ａ線断面説明図であり、左右に設けられた音声出力部２の内部構成を示している。図示するように、左右の音声出力部２はダクト７により連通され、一方の音声出力部に近い途中にスピーカ８が配置されている。スピーカ８は近い一方の音声出力部２ａに向くよう前方に向けてダクト７内に設置され、一方の音声出力部２ａからはスピーカ８の表側で生成される音声が出力され、他方の音声出力部２ｂからは裏側で生成された音声が出力される。こうして、スピーカ８の表面と裏面では位相が正反対の音声が出力されるので、ダクト７を経由して一対の音声出力部２ａ，２ｂから出力される音声は互いにほぼ反転した位相で出力される。
尚、ダクト７はスピーカ８が生成する音声を通過させるのに十分な太さで形成され、例えば居室親機筐体５と一体に樹脂成形で形成される。
【００１１】
このように、一対の音声出力部から出力される音声は、ダクトを用いることで互いに反転された位相で良好に出力される。そして、互いに打ち消し合う中間位置にマイクが配置されるので、スピーカからの音声がマイクに入る帰還量が極めて小さくなり、ハウリングを防止することができる。また、位相反転操作に電子回路の制御を必要としないので、安価に構成できる。
【００１２】
尚、図２では、スピーカ８表面からダクト７及び一方の音声出力部２ａを介してマイク３に至る空間距離と、スピーカ８裏面からダクト７及び他方の音声出力部２ｂを介してマイク３に至る空間距離とが等しくはないが、数センチメートルの誤差は影響なくマイク付近の位相は反転される。また、居室親機から出力される音声を聞く居住者の場合、左右何れかの耳が音声を打ち消し合う位置に来る事があっても、両耳がいずれも音声を打ち消し合う位置にあることがありえないので、通話音声が聞きづらくなることはなく、良好な通話を維持できる。
【００１３】
図３は、左右に設けられた一対の音声出力部２ａ，２ｂの他の構成を示している。図２とはダクトを持たない点、及びスピーカ８の配置が異なり、左右の音声出力部２のちょうど中間にあたるマイク３の背面部に、他方の音声出力部２ｂに向けてスピーカ８が配置され、一方の音声出力部２ａはスピーカ８の裏面側となっている。
【００１４】
このように構成しても良く、スピーカの表面と裏面では位相が正反対の音声が出力されるため、ダクトに比べて位相の分離度が劣るが、一対の音声出力部から出力される音声は互いに反転位相で出力される。そして、互いの出力が打ち消し合う位置にマイクが配置されるため、スピーカからの音声がマイクに入る帰還量を極めて小さくでき、ハウリングを防止することができる。また、この場合も位相反転操作に電子回路の制御を必要としないので、安価に構成できる。
【００１５】
図４は、左右に設けられた一対の音声出力部２ａ，２ｂの更に他の構成を示している。図４では、双方の音声出力部２ａ，２ｂに夫々スピーカ８が設置されている。一方の音声出力部２ａのスピーカ８は音声出力部２ａ前方に向けて正面配置され、他方の音声出力部２ｂのスピーカ８は音声出力部２ｂに背面を向けて配置されている。
スピーカ８の表面と裏面では位相が正反対の音声が出力されるため、居室親機筐体５の表面に出た音声はマイク３の位置で夫々が逆位相となって打ち消し合うため、マイク３に夫々のスピーカ８，８の音声が回り込むことがなくなり、ハウリングを防止することができる。
【００１６】
このように、スピーカが表面と裏面で位相が反転することを利用するので、電子的に位相反転すること無く完全な反転位相で出力でき、互いに打ち消し合う中間位置にマイクを配置することで、スピーカからの音声がマイクに入る帰還量が極めて小さくでき、ハウリングを防止することができる。更に、スピーカは音声出力部に設置できるので、居室親機筐体の奥行きを小さくでき、居室親機を小型にできる。
【００１７】
図５は、本発明に係るハンズフリーインターホン装置を構成する居室親機の他の形態を示している。上記図１とは、音声出力部２を４箇所設ている点が大きく異なっている。また、マイク３は居室親機筐体の中央部に配置され、通話ボタン１は下部に、付加機能ボタン４ａ〜４ｃは上部に夫々配置されている。尚、図１と共通する構成要素には同一の符号を付与している。
そして、図６〜図８に示す居室親機の断面説明図に示すように、各音声出力部２（２ｃ〜２ｆ）は居室親機筐体１０内でダクト７により連通され、居室親機筐体１０の中央に設けられた１個のスピーカ８により音声が出力されるよう構成されている。
【００１８】
図６はＢ−Ｂ線断面説明図であり、スピーカ８は中央に設けられたマイク３の背部に配置され、上方に向けて設置されている。そして、そのスピーカ８を覆うようにダクト７が上下方向に配置されている。その結果、ダクト７内を上方に正位相に音声が送出され、下方に逆位相の音声が送出される。
更に、ダクト７の上部及び下部は音声出力部２の背部で、図７に示すＣ−Ｃ線断面説明図、及び図８に示すＤ−Ｄ線断面説明図に示すように、左右に分岐して夫々の音声出力部２に連結されている。こうして、左右に配置された音声出力部２は同位相の音声が出力されるが、上下の音声出力部２同士は互いに反対位相の音声が出力される。このような特性から、上下に配置された左側の音声出力部２ｃ，２ｄが一対の音声出力部を構成し、同様に右側に配置された音声出力部２ｅ，２ｆが更に一対の音声出力部を構成している事になり、それらの中間に配置されたマイク３付近では、音声位相が打ち消し合うため、音が極めて小さくなる。
【００１９】
このように、対を成す音声出力部を複数設けても良く、打ち消し合う中間位置にマイクを配置することで、スピーカからの音声がマイクに入る帰還量を極めて小さくでき、ハウリングを防止することができる。
【００２０】
尚、上記実施形態は、ダクト７を設けたものは１つのスピーカ８を設けた構成となっているが、図５に示すように二対の音声出力部２（２ｃ〜２ｆ）を有する場合は、夫々の対に対してスピーカ８を設けても良い。また、図５の構成の場合、上下の音声出力部２の出力位相が反転するので、マイク３は居室親機筐体１０の中央でなくとも良く、左側一対の音声出力部２（２ｃ，２ｄ）の中央位置から右側一対の音声出力部２（２ｅ，２ｆ）の中央位置に亘る左右方向の直線上で有れば良好に出力音声を打ち消すことができるので、ハウリングの発生を抑えることができる。
【図面の簡単な説明】
【００２１】
【図１】本発明に係るハンズフリーインターホン装置の居室親機の正面図である。
【図２】図１のＡ−Ａ線断面説明図である。
【図３】Ａ−Ａ線断面の他の構成を示す説明図である。
【図４】Ａ−Ａ線断面の更に他の構成を示す説明図である。
【図５】本発明に係るハンズフリーインターホン装置の他の形態を示す居室親機の正面図である。
【図６】図５のＢ−Ｂ線断面説明図である。
【図７】図５のＣ−Ｃ線断面説明図である。
【図８】図５のＤ−Ｄ線断面説明図である。
【符号の説明】
【００２２】
２（２ａ〜２ｆ）・・音声出力部、３・・マイク、５・・居室親機筐体、７・・ダクト、８・・スピーカ、１０・・居室親機筐体。
【図１】
2007228286.tif 000003
【図２】
2007228286.tif 000004
【図３】
2007228286.tif 000005
【図４】
2007228286.tif 000006
【図５】
2007228286.tif 000007
【図６】
2007228286.tif 000008
【図７】
2007228286.tif 000009
【図８】
2007228286.tif 000010